(57)【要約】【課題】入力部を照射することができるとともに、使用者の目に直接入りにくくしたことにより、暗所での入力操作を良好に行うことができる。【解決手段】本発明の電子機器は、キーボード５と信号処理部とを備える第１の筐体１と、信号処理部で入力信号を視認情報信号に変換した視認情報を表示可能な液晶ディスプレイ２１を備えた第２の筐体２と、第１の筐体１及び第２の筐体２とを回動自在に軸支するヒンジ部３と、第２の筐体２におけるヒンジ部３の軸方向両端近傍に配置され、キーボード５を照射可能な光源体１１及び１２を備えている。【選択図】図１
2010198607.tif 000002
【特許請求の範囲】
【請求項１】
入力部と、前記入力部で入力した入力信号を処理する信号処理部とを備える第１の筐体と、
前記信号処理部で前記入力信号を視認情報信号に変換した視認情報を表示可能な表示パネルと、前記表示パネルの有効表示領域を規定する枠体とを備えた第２の筐体と、
前記第１の筐体及び前記第２の筐体を回動自在に軸支する回動軸を有するヒンジ部とを備える電子機器であって、
前記枠体に配置され、前記回動軸に対して平行な少なくとも一対の開口部と、
前記第２の筐体における前記開口部の近くまたは前記開口部の中に配置され、前記入力部を照射可能な少なくとも一対の光源とを備えている、電子機器。
【請求項２】
前記光源は、前記入力部に光を照射可能な姿勢で、前記第２の筐体の内部に配置されている、請求項１記載の電子機器。
【請求項３】
前記入力部を操作する操作者が前記表示パネルを視認できる前記第２の筐体の回動角度においては、
前記光源から出る光が少なくとも前記入力部を照射する、請求項１記載の電子機器。
【請求項４】
前記光源は、赤色光を放射する発光ダイオードを備えた、請求項１記載の電子機器。
【請求項５】
前記第２の筐体は、前記光源における少なくとも前記表示パネルの表示面と同一面側を隠蔽するカバー部を備えた、請求項１記載の電子機器。
【発明の詳細な説明】
【技術分野】
【０００１】
本発明は、入力部を照射することができる光源を備えた電子機器に関する。
【背景技術】
【０００２】
近年、ノートパソコンなどのモバイル機器は、暗所や夜間で良好に使用できることが望まれている。しかしながら、暗所などで機器を使用する際、液晶ディスプレイなどの表示部は良好に視認することができるものの、キーボードなどの入力部の周辺は暗く、入力操作を行うことが困難である。このような課題に対して、キーボードを外部から照射することができる光源を機器に備える技術が提案されている。
【０００３】
特開２００７−２９９２３０号公報には、キーボードを照射可能なＬＥＤを備えた構成が開示されている。特許文献１に開示されたＬＥＤは、液晶パネルを支持する第２筐体の長手方向中央部上側に配置されている。
【先行技術文献】
【特許文献】
【０００４】
【特許文献１】特開２００７−２９９２３０号公報
【発明の概要】
【発明が解決しようとする課題】
【０００５】
しかしながら特開２００７−２９９２３０号公報に開示された構成では、周囲が暗い状態でキーボードを目視可能とするためＬＥＤを点灯すると、ＬＥＤが放射する光はキーボードを照射しているにも拘わらず、ＬＥＤが放射する光及びキーボードのキーを押下するキートップ表面での反射光が使用者の目に直接入り易く、本来のキーボード照明の機能が低下する課題があった。
【０００６】
本発明は、入力部を照射することができるとともに、使用者の目に直接入りにくくしたことにより、暗所での入力操作を良好に行うことができる電子機器を提供することを目的とする。
【課題を解決するための手段】
【０００７】
本発明の電子機器は、入力部と、前記入力部で入力した入力信号を処理する信号処理部とを備える第１の筐体と、前記信号処理部で前記入力信号を視認情報信号に変換した視認情報を表示可能な表示パネルと、前記表示パネルの有効表示領域を規定する枠体とを備えた第２の筐体と、前記第１の筐体及び前記第２の筐体を回動自在に軸支する回動軸を有するヒンジ部とを備える電子機器であって、前記枠体に配置され、前記回動軸に対して平行な少なくとも一対の開口部と、前記第２の筐体における前記開口部の近くまたは前記開口部の中に配置され、前記入力部を照射可能な少なくとも一対の光源とを備えていることを特徴としている。
【発明の効果】
【０００８】
本発明によれば、光源で入力部を照射することができるため、暗所などにおいて入力部が目視可能となるため入力操作を行うことができる。また、光源が放射する光が直接使用者の目に入りにくいため、操作性が低下するのを抑えることができる。
【図面の簡単な説明】
【０００９】
【図１】本発明の実施の形態にかかる電子機器の斜視図
【図２】本発明の実施の形態にかかる電子機器の正面図
【図３Ａ】光源体の近傍の要部正面図
【図３Ｂ】図３ＡにおけるＺ−Ｚ部の断面図
【図３Ｃ】光源体の近傍の要部正面図
【図３Ｄ】図３ＣにおけるＺ−Ｚ部の断面図
【図４】図２におけるＺ−Ｚ部の断面図
【図５】光源体の近傍の要部斜視図
【図６】アスペクト比が１６：９の液晶ディスプレイを備えたノートパソコンの正面図
【図７】光源体を第２の筐体の主面の下方に配置したノートパソコンの正面図
【図８】図７におけるＺ−Ｚ部の断面図
【発明を実施するための形態】
【００１０】
本発明の電子機器は、入力部と、前記入力部で入力した入力信号を処理する信号処理部とを備える第１の筐体と、前記信号処理部で前記入力信号を視認情報信号に変換した視認情報を表示可能な表示パネルと、前記表示パネルの有効表示領域を規定する枠体とを備えた第２の筐体と、前記第１の筐体及び前記第２の筐体を回動自在に軸支する回動軸を有するヒンジ部とを備える電子機器であって、前記枠体に配置され、前記回動軸に対して平行な少なくとも一対の開口部と、前記第２の筐体における前記開口部の近くまたは前記開口部の中に配置され、前記入力部を照射可能な少なくとも一対の光源とを備えていることを特徴としている。
【００１１】
本発明の電子機器は、上記構成を基本として、以下のような態様をとることができる。すなわち、本発明の電子機器において、前記光源は、前記入力部に光を照射可能な姿勢で、前記第２の筐体の内部に配置されている構成とすることができる。このような構成とすることにより、光源が放射した光、および入力部で反射した光が使用者の目に入りにくくなるため、使用者は暗所等での電子機器の操作を良好に行うことができる。
【００１２】
本発明の電子機器は、前記入力部を操作する操作者が前記表示パネルを視認できる前記第２の筐体の回動角度においては、前記光源から出る光が少なくとも前記入力部を照射する構成とすることができる。このような構成とすることにより、操作者に対して、第２の筐体が、表示パネルを視認し易い回動角度以上に回動していることを、注意喚起することができる。すなわち、操作者は、光源の発光中心が視野に入ると、眩しさを感じ、表示パネルを視認しながら行っている作業に支障が生じるため、光源の眩しさを感じない位置まで第２の筐体を回動させようとすることが一般的である。上記構成を有する電子機器は、第２の筐体が前記回動角度範囲内に位置している時は光源が入力部を照射する構成とし、第２の筐体が前記回動角度範囲よりも大きい回動角度まで回動された時は光源の光軸中心が操作者の視野に入りやすくした。これにより、操作者に対して、第１の筐体に対する第２の筐体の回動角度が小さくなるように第２の筐体を回動させて、光源の発光中心を視野の外に向ける動作を促すことができる。
【００１３】
本発明の電子機器において、前記光源は、赤色光を放射する発光ダイオードを備えた構成とすることができる。このような構成とすることにより、発光ダイオードが放射する赤色は、眼球の暗順応を妨げない色であるため、使用者の目が暗所に慣れやすいという効果がある。
【００１４】
（実施の形態）
〔１．電子機器の構成〕
図１は、本実施の形態の電子機器の一例であるノートパソコンの外観を示す斜視図である。図２は、図１に示すノートパソコンの正面図である。なお、本実施の形態では、情報処理装置の一例としてノートパソコンを挙げたが、携帯電話端末や携帯型ゲーム機などのように、表示装置と入力装置を備えた電子機器であればよい。
【００１５】
図１及び図２に示すように、ノートパソコンは、第１の筐体１と第２の筐体２とを備えている。第１の筐体１は、情報処理回路が実装された電気回路基板やハードディスクドライブなどを内蔵している。第２の筐体２は、液晶ディスプレイ２１を備えている。第１の筐体１と第２の筐体２とは、ヒンジ部３に保持された支軸（回動軸）３ａによって、互いに回動自在に支持されている。第２の筐体２を、図１に示す位置（第１の状態）から矢印Ａに示す方向へ回動させることで、液晶ディスプレイ２１とキーボード（入力部）５とが対向した第２の状態へ移行させることができる。第２の状態において、第２の筐体２の主面２ａには、液晶パネル（表示パネル）の有効表示領域を規定する枠体２ｃが配され、枠体２ｃで規定される有効表示領域が液晶ディスプレイ２１である。また、第２の状態において液晶ディスプレイ２１と対向する第１の筐体１の面を上側とすると、第１の筐体１の上面１ａには、各種文字の入力操作が可能なキーボード５と、液晶ディスプレイ２１に表示されるカーソルを所望の位置へ移動する操作が可能なポインティングデバイス６とを備えている。
【００１６】
なお、キーボード５やハードディスクドライブなどから入出力された情報信号は、第１の筐体１に内蔵された不図示の情報処理回路で所定の処理を施し、例えば液晶ディスプレイ２１で表示する表示信号などに変換される。
【００１７】
また、本実施の形態では、第１の筐体１の上面１ａおよび第２の筐体２の主面２ａは、それぞれ略長方形状とした。また、第１の筐体１における一対の長辺端部のうち一方の長辺端部近傍と、第２の筐体２における一対の長辺端部のうち一方の長辺端部近傍とが、支軸３ａによって軸支されている。以下の説明において、第１の筐体１及び第２の筐体２における、支軸３ａ近傍の長辺部を「一方の長辺部」と称し、一方の長辺部に対向する長辺部を「他方の長辺部」と称する。
【００１８】
〔２．光源体の構成〕
図１及び図２に示すように、第２の筐体２には、光源体１１及び１２，凹部１３及び１４を備えている。光源体１１及び凹部１３は、第２の筐体２における他方の長辺部と、図示向かって左側の短辺部との交点近傍に配されている。光源体１２及び凹部１４は、第２の筐体２における他方の長辺部と、図示向かって右側の短辺部との交点近傍に配されている。光源体１１及び１２は、第２の筐体２に内蔵されている。光源１１及び１２は、本実施の形態では赤色光を放射する発光ダイオード（ＬＥＤ）素子を備えた構成とした。
【００１９】
また、図２における一点鎖線Ｌ１は、光源体１１が放射する光の光軸を模式的に示した線である。また、一点鎖線Ｌ２は、光源体１２が放射する光の光軸を模式的に示した線である。また、二点鎖線Ｌ３は、光源体１１が放射し、キーボード５のキートップにおいて反射した光の光軸中心を模式的に示した線である。また、二点鎖線Ｌ４は、光源体１２が放射し、キーボード５のキートップにおいて反射した光の光軸中心を模式的に示した線である。なお、以下の記載では、断りのない限り「発光中心軸」及び「光軸中心」を併せて「光軸」と称する。光軸Ｌ１及びＬ２に示すように、光源体１１及び１２から放射する光は、キーボード５を照射する。図示は省略しているが、光源体１１及び１２から放射する光は、光軸Ｌ１及びＬ２を略中心として拡散する。また、キーボード５における反射光は、光軸Ｌ３及びＬ４を略中心として拡散する。
【００２０】
図３Ａ〜図３Ｄは、第２の筐体２に備える光源体１１及び１２近傍を説明する図で、第２の筐体２の主面２ａは、光源体１１及び１２を内蔵する凹部１３及び１４以外は枠体２ｃで覆われている。周知のように枠体２ｃは液晶パネルの外周近傍を、不透光性物質で隠蔽することで、液晶パネルの有効表示領域を規定し、第２の筐体２が不透光性物質の場合には第２の筐体２そのものを適用することができる。なお、枠体２ｃの少なくとも表層面に、例えば黒色等の光の反射率が低い色材を塗布した枠体とすることができる。また、光の反射率が低い表面処理（例えば微小な凹凸を多数形成する処理）等も適用できる。
【００２１】
図３Ａは、第２の筐体２における光源体１１の近傍の要部正面図である。図３Ｂは、図３ＡにおけるＺ−Ｚ部の断面図である。図３Ａ及び図３Ｂに示すように、光源体１１は、ＬＥＤ素子１１ａと基板１１ｂとを備えている。ＬＥＤ素子（光源）１１ａは、基板１１ｂに実装されている。また、凹部１３における光源体１１側の内面には、孔部１３ａ（開口部）が形成されている。また、光源体１１に備えるＬＥＤ素子１１ａは、第２の筐体２の一部であるカバー部２ｂによって、少なくとも液晶ディスプレイ２１の表示面と同一面側が隠蔽されている。また、光源体１１は、図３Ａに示すように、第２の筐体２の主面２ａを正面から見た時に、ヒンジ部３に内蔵された支軸３ａ（図２参照）の軸方向に対して実装面が傾斜した姿勢で、第２の筐体２内に配置されている。すなわち、図３Ａにおいて、線分ａを支軸３ａに対して平行な線分とし、線分ｂを基板１１ｂにおけるＬＥＤ素子１１ａの実装面に対して平行な線分としたとき、基板１１ｂを角度θ１傾斜させて配置している。また、光源体１１に備えるＬＥＤ素子１１ａは、図３Ｂに示すように、第２の筐体２の主面２ａの面方向にも傾斜して配置されている。すなわち、光源体１１の基板１１ｂは、第２の筐体２の主面２ａに直交する線分ｃと、基板１１ｂにおけるＬＥＤ素子１１ａの実装面に平行な線分ｄとの間に、角度θ３を有する姿勢で第２の筐体２に保持されている。したがって、ＬＥＤ素子１１ａが放射した光軸Ｌ１を中心とする光は、孔部１３ａを介して、キーボード５の中央近傍を照射する。
【００２２】
図３Ｃは、第２の筐体２における光源体１２の近傍の要部正面図である。図３Ｄは、図３ＣにおけるＺ−Ｚ部の断面図である。図３Ｃ及び図３Ｄに示すように、光源体１２は、ＬＥＤ素子１２ａと基板１２ｂとを備えている。ＬＥＤ素子（光源）１２ａは、基板１２ｂに実装されている。また、凹部１４における光源体１２側の内面には、孔部１４ａ（開口部）が形成されている。また、光源体１２に備えるＬＥＤ素子１２ａは、第２の筐体２の一部であるカバー部２ｂによって、少なくとも液晶ディスプレイ２１の表示面と同一面側が隠蔽されている。また、光源体１２は、図３Ｃに示すように、第２の筐体２の主面２ａを正面から見た時に、ヒンジ部３に内蔵された支軸３ａ（図２参照）の軸方向に対して実装面が傾斜した姿勢で、第２の筐体２内に配置されている。すなわち、図３Ｃにおいて、線分ａを支軸３ａに対して平行な線分とし、線分ｂを基板１２ｂにおけるＬＥＤ素子１２ａの実装面に対して平行な線分としたとき、基板１２ｂを角度θ２傾斜させて配置している。また、光源体１２に備えるＬＥＤ素子１２ａは、図３Ｄに示すように、第２の筐体２の主面２ａの面方向にも傾斜して配置されている。すなわち、光源体１２の基板１２ｂは、第２の筐体２の主面２ａに直交する線分ｃと、基板１２ｂにおけるＬＥＤ素子１２ａの実装面に平行な線分ｄとの間に、角度θ４を有する姿勢で第２の筐体２に保持されている。したがって、ＬＥＤ素子１２ａが放射した光軸Ｌ２を中心とする光は、孔部１４ａを介して、キーボード５の中央近傍を照射する。
【００２３】
図４は、図２におけるＺ−Ｚ部の断面図である。なお、図示を明瞭にするために、第２の筐体２の一部のみ断面表記した。また、第１の筐体１は、キーボード５が配されている部分のみ図示した。図４に示すように、光源体１２に備えるＬＥＤ素子１２ａは、第２の筐体２の主面２ａの面方向にも傾斜して配置されているので、光軸Ｌ２に示すように、光源体１２に備えるＬＥＤ素子１２ａが放射した光は、キーボード５におけるＹ軸方向の中央近傍を照射する。なお、図示は省略しているが、光源体１１についても、図４に示す傾斜方向と同じ方向に傾斜した姿勢で第２の筐体２に保持されている。したがって、光源体１１に備えるＬＥＤ素子１１ａが放射した光は、キーボード５におけるＹ軸方向の中央近傍を照射する。
【００２４】
図５は、第２の筐体２内における光源体１２近傍の要部斜視図である。図５において、第２の筐体２の内部を明確に図示するために、第２の筐体２における主面２ａ側の筐体の図示を省略した。図５に示すように、光源体１２は、それぞれ基板１２ｂが所定の方向に傾斜した姿勢で第２の筐体２に保持されている。なお、図示は省略しているが、光源体１１についても同様に、所定の方向に傾斜した姿勢で第２の筐体２に保持されている。
【００２５】
以下、光源体１１及び１２に備えるＬＥＤ素子１１ａ及び１２ａを点灯させた際の動作について説明する。
【００２６】
光源体１１に備えるＬＥＤ素子１１ａを点灯させると、図２における光軸Ｌ１に示すように、ＬＥＤ素子１１ａが放射した光は、キーボード５の幅方向（Ｘ軸方向）の中央近傍を照射する。また、光源体１２に備えるＬＥＤ素子１２ａを点灯させると、図２における光軸Ｌ２に示すように、ＬＥＤ素子１２ａが放射した光は、キーボード５の幅方向（Ｘ軸方向）の中央近傍を照射する。また、図４における光軸Ｌ２に示すように、ＬＥＤ素子１２ａが放射した光は、キーボード５の奥行き方向（Ｙ軸方向）の中央近傍を照射する。同様に、ＬＥＤ素子１１ａが放射した光も、キーボード５の奥行き方向（Ｙ軸方向）の中央近傍を照射する。したがって、光源体１１及び１２が放射した光は、キーボード５の中央近傍を明るく照らすことができる。上述したように、ＬＥＤ素子１１ａの光軸Ｌ１を中心とする光は、キーボード５の幅方向（Ｘ軸方向）を照射し、ＬＥＤ素子１２ａの光軸Ｌ２を中心とする光は、キーボード５の幅方向（Ｘ軸方向）を照射する構成であるため、光軸Ｌ１及びＬ２は使用者の視角に直接入り難く、例えば暗所で光源体１１及び１２が備えるＬＥＤ素子１１ａ及び１２ａを点灯させた状態でも、使用者の目を眩ませることから回避できる。
【００２７】
また、本実施の形態では、図２に示すように、光源体１１を液晶ディスプレイ２１の図示向かって左側に配置し、光源体１２を液晶ディスプレイ２１の図示向かって右側に配置したことにより、光軸Ｌ３及びＬ４に示すように、光源体１１に備えるＬＥＤ素子１１ａが放射した光が光源体１２側へ反射し、光源体１２に備えるＬＥＤ素子１２ａが放射した光が光源体１１側へ反射する。よって、使用者が通常の姿勢（液晶ディスプレイ２１のＸ軸方向の略中央に対向する位置から液晶ディスプレイ２１を視認する姿勢）でノートパソコンを使用している時に、キーボード５のキートップで反射した反射光も使用者の目に届きにくい。
【００２８】
なお、第２の筐体２を図４に示す位置から矢印Ｂに示す方向へ回動させると、光軸Ｌ２のキーボード５への到達点は、矢印Ｙ１に示す方向へ移動する（図示は省略するが光軸Ｌ１も同様）。また、第２の筐体２を図４に示す位置から矢印Ａに示す方向へ回動させると、光軸Ｌ２のキーボード５への到達点は、矢印Ｙ２に示す方向へ移動する（図示は省略するが光軸Ｌ１も同様）。本実施の形態では、第１の筐体１に対する第２の筐体２の回動角が実用的な範囲（９０〜１３０度程度）にあるときに、光軸Ｌ１及びＬ２のキーボード５への到達点がキーボード５から大きく外れることがないように光源体１１及び１２を配置している。
【００２９】
なお、角度θ１，θ２は、１０〜３０度の範囲内で任意の値に設定することが好ましく、本実施の形態では一例として２５度とした。また、角度θ３，θ４は、２０〜３０度の範囲内で任意の値に設定することが好ましく、本実施の形態では一例として２５度とした。角度θ１〜θ４は、液晶ディスプレイ２１の有効表示領域のアスペクト比が４：３で、第１の筐体１と第２の筐体２との回動角を実用的な範囲である９０〜１３０度とした時に、光源体１１及び１２にそれぞれ備えるＬＥＤ素子１１ａ及び１２ａが放射する光がキーボード５を照射する角度である。
【００３０】
図６は、有効表示領域のアスペクト比が１６：９の液晶ディスプレイを備えたノートパソコンの正面図である。図６に示す液晶ディスプレイ２１は、図２に示す液晶ディスプレイ２１と図示縦方向のサイズが同等で、図示横方向のサイズが図２に示す液晶ディスプレイ２１よりも大きい。また、図６に示すように、液晶ディスプレイ２１の有効表示領域のアスペクト比が１６：９の場合は、角度θ１，θ２を２０〜４０度の範囲内で任意の値に設定することが好ましく、図６においては３５度とした。図６に示すように、液晶ディスプレイ２１の有効表示領域のアスペクト比を１６：９にすると、図２に示すようにアスペクト比が４：３の時と比べて、光源体１１と光源体１２との間隔が大きくなる。したがって、角度θ１，θ２を、アスペクトが４：３の時と同じ値（本実施の形態ではいずれも２５度）にすると、キーボード５上における光軸Ｌ１及びＬ２の到達点が、キーボード５の中心から離れた位置になる。この時、キーボード５の両端近傍における光量が十分で、キーボード５の中央近傍における光量が不足している場合は、角度θ１，θ２の値を大きくすることにより、キーボード５上における光軸Ｌ１及びＬ２の到達点をキーボード５の中心に近い位置に配置することができる。図６に示す構成では、光軸Ｌ１及びＬ２の到達点が、図２におけるキーボード５上の光軸Ｌ１及びＬ２の到達点とほぼ同じ位置にするために、角度θ１，θ２を３５度とした。なお、角度θ３，θ４は、２０〜３０度とすることが好ましく、本実施の形態では図２に示す構成と同様の２５度とした。
【００３１】
また、本実施の形態では、光源体１１は、図２に示すように第２の筐体２における他方の長辺部と、図示向かって左側の短辺部との交点近傍に配されているが、図７に示すように、第２の筐体２における一方の長辺部（第２の筐体２における一対の長辺部のうち、第１の筐体１に近い側の長辺部。支軸３ａに近い側の長辺部）と左側の短辺部との交点近傍に配置してもよい。また、光源体１２も、図７に示すように第２の筐体２における一方の長辺部と右側の短辺部との交点近傍に配置してもよい。図８は、図７におけるＺ−Ｚ部の断面図である。図７及び図８に示す位置に光源体１１及び１２を配置する場合、角度θ１，θ２（図７参照）は、２０〜５０度の範囲内で任意の値に設定することが好ましく、本実施の形態では４５度とした。また、角度θ３，θ４（便宜上、図８にθ４のみ表記）は、３０〜６０度の範囲内で任意の値に設定することが好ましく、本実施の形態では６０度とした。このような構成とすることにより、光源体１１及び１２に備わるＬＥＤ素子１１ａ及び１２ａでキーボード５を照射することができる。さらに、図７及び図８に示す光軸Ｌ１及びＬ２は、キーボード５の表面に対する角度が、図２に示す光軸Ｌ１及びＬ２の角度よりも小さくなるため、キーボード５の照射面積が大きくなる。なお、上記のＬＥＤ素子１１ａ及び１２ａの取り付け角度は、第１の筐体１に対する第２の筐体２の回動角度を９０〜１３０度とした時に、ＬＥＤ素子１１ａ及び１２ａが放射する光がキーボード５を照射する角度である。以上のように、図７及び図８に示す位置に光源体１１及び１２を配置したとしても、ＬＥＤ素子１１ａ及び１２ａが放射する光でキーボード５を照射することができる。また、図８に示すように、光源体１１及び１２を第２の筐体２の内部に配置し、孔部１３ａ及び１４ａを介してキーボード５を照射する構成としたことにより、ＬＥＤ素子１１ａ及び１２ａが放射する光が直接使用者の視界に入らないため、使用者は眩しさを感じることがほとんどない。
【００３２】
また、光源体１１及び１２は、図２に示す位置（第２の筐体２の他方の長辺部近傍の位置）と図７に示す位置（第２の筐体２の一方の長辺部近傍の位置）との間における、任意の位置に配置することができる。この場合、ＬＥＤ素子１１ａ及び１２ａの取り付け角度θ１〜θ４を上記の数値範囲内で任意の値に設定することで、ＬＥＤ素子１１ａ及び１２ａでキーボード５を照射することができる。
【００３３】
〔３．実施の形態の効果、他〕
本実施の形態によれば、光源体１１を液晶ディスプレイ２１の左側に配置し、光源体１２を液晶ディスプレイ２１の右側に配置したことにより、光源体１１及び１２に備えるＬＥＤ素子１１ａ及び１２ａが放射する光が直接使用者の目に届きにくい。すなわち、特許文献１に開示されているように、光源を液晶ディスプレイの中央近傍に配置すると、使用者が液晶ディスプレイを視認している時に光源が放射する光が視界に入ることが多くなり、ノートパソコンを使用した作業に支障を来してしまう。本実施の形態では、光源体１１及び１２を液晶ディスプレイ２１の中央から離れた位置に配置したことにより、使用者が液晶ディスプレイ２１を視認している時に光源体１１及び１２に備えるＬＥＤ素子１１ａ及び１２ａが放射する光が視界に入りにくくなる。よって、使用者は、光源体１１及び１２の眩しさをほとんど感じることなく、暗所などでのキーボード５の入力操作を行うことができる。
【００３４】
また、光源体１１を液晶ディスプレイ２１の左側に配置し、光源体１２を液晶ディスプレイ２１の右側に配置したことにより、光源体１１及び１２に備えるＬＥＤ素子１１ａ及び１２ａが放射する光は、キーボード５のキートップからそれぞれ光源体１２側及び光源体１１側へと反射し、液晶ディスプレイ２１に対向する位置に存在する使用者側へは反射しにくい。したがって、使用者が液晶ディスプレイ２１を視認している時に反射光が視線に入るのを抑えることができる。よって、使用者は、光源体１１及び１２の眩しさをほとんど感じることなく、暗所などでのキーボード５の入力操作を行うことができる。
【００３５】
また、本実施の形態によれば、光源体１１及び１２を第２の筐体２に内蔵し、光源体１１及び１２からの光を孔部１３ａ及び１４ａを介してキーボード５に照射する構成としたことにより、使用者が液晶ディスプレイ２１を視認している時に光源体１１及び１２からに備えるＬＥＤ素子１１ａ及び１２ａの直接光が視界に入ることを抑えることができる。よって、使用者は、光源体１１及び１２の眩しさをほとんど感じることなく、暗所などでのキーボード５の入力操作を行うことができる。
【００３６】
また、本実施の形態は、光源体１１及び１２に、赤色の光を放射するＬＥＤ素子１１ａ及び１２ａを備えた。赤色ＬＥＤが放射する色は、眼球の暗順応を妨げない色であるため、使用者の目が暗所に慣れやすいという効果がある。
【００３７】
また、本実施の形態によれば、孔部１３ａ及び１４ａを凹部１３及び１４内に形成したことにより、光源体１１及び１２に備えるＬＥＤ素子１１ａ及び１２ａの光の不要な拡散を防ぐことができる。
【００３８】
なお、本実施の形態における凹部１３及び１４の表層に、例えば第２の筐体２の枠体２ｃに適用できる光の反射率が低い色（例えば黒色）を呈する色材か、光の反射率が低い表面処理（例えば微小な凹凸を多数形成する処理）を施すことが好ましい。このような構成とすることにより、孔部１３ａ及び１４ａを介して出射した光源体１１及び１２に備えるＬＥＤ素子１１ａ及び１２ａの光が、凹部１３及び１４の表層上で反射するのを抑えることができ、操作者の視界にＬＥＤ素子１１ａ及び／または１２ａからの反射光が入ることをさらに抑制できる。また、凹部１３及び１４の表層に、枠体２ｃを備えることもできる。
【００３９】
また、孔部１３ａ及び１４ａの周囲を、光の反射率が低い色（例えば黒色）とするか、光の反射率が低い表面処理（例えば微小な凹凸を多数形成する処理）を施すことが好ましい。このような構成とすることにより、孔部１３ａ及び１４ａを介して出射した光源体１１及び１２の光が、孔部１３ａ及び１４ａの周囲の表面上で反射するのを抑えることができる。
【００４０】
また、光源体１１及び１２に適用する光源は、発光ダイオードに限らず、少なくとも光を放射する素子を備えていればよい。また、光源体１１及び１２が放射する光の色は、赤色に限らず白色光や青色光でもよい。
【００４１】
また、本実施の形態では、光源体１１及び１２は、第２の筐体２の中の孔部１３ａ，１４ａの近くに配置したが、本実施の形態と同様の効果を得ることができれば、孔部１３ａ，１４ａの中に配置してもよい。
【００４２】
また、本実施の形態における第１の筐体１は、本発明の第１の筐体の一例である。また、本実施の形態における第２の筐体２は、本発明の第２の筐体の一例である。また、本実施の形態におけるキーボード５は、本発明の入力部の一例である。また、本実施の形態における液晶ディスプレイ２１は、本発明の表示部の一例である。また、本実施の形態における光源体１１及び１２は、本発明の自ら発光する光源を備える光源体の一例である。また、本実施の形態におけるカバー部２ｂは、本発明のカバー部の一例である。また、本実施の形態における孔部１３ａ、１４ａは、本発明の開口部の一例である。
【００４３】
本実施の形態に関して、以下の付記を開示する。
【００４４】
（付記１）
入力部と、前記入力部で入力した入力信号を処理する信号処理部とを備える第１の筐体と、
前記信号処理部で前記入力信号を視認情報信号に変換した視認情報を表示可能な表示パネルと、前記表示パネルの有効表示領域を規定する枠体とを備えた第２の筐体と、
前記第１の筐体及び前記第２の筐体を回動自在に軸支する回動軸を有するヒンジ部とを備える電子機器であって、
前記枠体に配置され、前記回動軸に対して平行な少なくとも一対の開口部と、
前記第２の筐体における前記開口部の近くまたは前記開口部の中に配置され、前記入力部を照射可能な少なくとも一対の光源とを備えている、電子機器。
【００４５】
（付記２）
前記光源は、前記入力部に光を照射可能な姿勢で、前記第２の筐体の内部に配置されている、付記１記載の電子機器。
【００４６】
（付記３）
前記入力部を操作する操作者が前記表示パネルを視認できる前記第２の筐体の回動角度においては、
前記光源から出る光が少なくとも前記入力部を照射する、付記１または２に記載の電子機器。
【００４７】
（付記４）
前記光源は、赤色光を放射する発光ダイオードを備えた、付記１〜３のいずれかに記載の電子機器。
【００４８】
（付記５）
入力部と、前記入力部で入力した入力信号を処理する信号処理回路とを備える第１の筐体と、
前記信号処理部で前記入力信号を視認情報信号に変換した視認情報を表示可能な表示パネルと、前記表示パネルの有効表示領域を規定する枠体とを備えた第２の筐体と、
前記第１の筐体及び前記第２の筐体を回動自在に軸支する回動軸を有するヒンジ部とを備える電子機器であって、
前記枠体に配置され、前記回動軸に対して中心が平行な少なくとも一対の開口部と、
前記第２の筐体における前記開口部それぞれに配置され、前記入力部を照射可能な少なくとも一対の光源とを備え、
前記第２の筐体は、前記光源における少なくとも前記表示パネルの表示面と同一面側を隠蔽するカバー部を備えた、電子機器。
【００４９】
（付記６）
前記光源は、前記入力部に光を照射可能な姿勢で、前記第２の筐体の内部に配置されている、付記５記載の電子機器。
【００５０】
（付記７）
前記入力部を操作する操作者が前記表示パネルを視認できる範囲に前記回動軸回りに前記第２の筐体を回動する回動角度範囲においては、
前記光源の光軸が少なくとも前記入力部のキー配列の範囲を照射する、付記５または６に記載の電子機器。
【００５１】
（付記８）
前記光源は、赤色光を放射する発光ダイオードを備えた、付記５または６記載の電子機器。
【産業上の利用可能性】
【００５２】
本発明は、暗所などで操作手段の操作が可能になるように光源を備えた機器に有用である。
【符号の説明】
【００５３】
１  第１の筐体
２  第２の筐体
１１，１２  光源体
１１ａ，１２ａ  ＬＥＤ素子
１１ｂ，１２ｂ  基板
１３，１４  凹部
１３ａ，１４ａ  孔部
【図１】
2010198607.tif 000003
【図２】
2010198607.tif 000004
【図３Ａ】
2010198607.tif 000005
【図３Ｂ】
2010198607.tif 000006
【図３Ｃ】
2010198607.tif 000007
【図３Ｄ】
2010198607.tif 000008
【図４】
2010198607.tif 000009
【図５】
2010198607.tif 000010
【図６】
2010198607.tif 000011
【図７】
2010198607.tif 000012
【図８】
2010198607.tif 000013